(57)【要約】      （修正有）【課題】フランジ幅の狭い形鋼の梁に親綱支柱を設置するのに手間がかからない、親綱支柱取付治具を提供する。【解決手段】親綱支柱を固定するための治具は、左右方向に伸びる矩形状の板１１と、矩形状の板１１の左方向の端部で上下方向に間隔を開けてＵ字状に折り曲げられた折り曲げ部１２と矩形状の板１１の右方向の端部に設けられ、上方向に伸びる上突起部１３とを含む。上突起部１３の裏面にも、逆方向に設けられた下突起部１５を設けてもよい。【選択図】図１
2018139984.tif 000002
【特許請求の範囲】
【請求項１】
親綱支柱を固定するための治具であって、
第１の方向に伸びる矩形状の板と、
前記矩形状の板の前記第１の方向の端部で上下方向に間隔を開けてＵ字状に折り曲げられた折り曲げ部と、を含む治具。
【請求項２】
前記矩形状の板の前記第１の方向の逆方向の端部に設けられ、上方向に伸びる上突起部と、をさらに含む、請求項１に記載の治具。
【請求項３】
前記矩形状の板の前記第１の方向とは逆方向の端部に設けられた下突起部を含む、請求項１または２に記載の治具。
【請求項４】
前記下突起部の高さは、前記治具が取り付けられる梁に使用するＨ形鋼材のフランジ厚より薄い、請求項３に記載の治具。
【請求項５】
前記矩形状の板の前記第１の方向と直交する方向の両端部に設けられ、上方向に伸びる一対の横突起部を含む、請求項１〜４のいずれかに記載の治具。
【発明の詳細な説明】
【技術分野】
【０００１】
この発明は親綱支柱用治具に関し、特に、形鋼に親綱支持用の親綱支柱を取り付けるための親綱支柱用治具に関する。
【背景技術】
【０００２】
従来、フランジ幅の狭い形鋼の梁に親綱支柱を設置する場合は、次のように行われていた。すなわち、図４（Ａ）に示すように、フランジ幅の狭い梁１０１のフランジ１０１ａに親綱支柱１１０の取付部ボルト１１０ａを奥まで挿入できる厚板プレート１０２を挟締金具１０３を以て固定し、フランジ幅の狭い梁１０１と厚板プレート１０２とを一体化して親綱支柱１１０を設置していた。なお、図４（Ｂ）は図４（Ａ）において、矢印ＩＶＢ−ＩＶＢで示す部分の矢視図であり、図４（Ａ）は図４（Ｂ）において、矢印ＩＶＡ−ＩＶＡで示す部分の側面図である。
【０００３】
図４（Ｂ）の１１０ｂは図４（Ａ）の取り付けボルト１１０ａの先端の皿状の抑え部を示す。
【０００４】
また、図５は、他の方法を示す図４（Ａ）に対応する側面図であり、ここでは、親綱支柱１１０がフランジ幅の狭い梁１０４から作業者の墜落時の衝撃荷重が生じたとき、親綱支柱１１０が水平方向に離脱しないように、親綱支柱１１０の設置側と反対方向より引張金具１０５にて引っ張ることによって、フランジ幅の狭い梁１０４と親綱支柱１１０とが離れないように固定されるように安全対策を講じていた。なお、親綱支柱は、例えば特開平８-２７０２０７号公報に開示されている。
【先行技術文献】
【特許文献】
【０００５】
【特許文献１】特開平８-２７０２０７号公報（要約等）
【発明の概要】
【発明が解決しようとする課題】
【０００６】
従来のフランジ幅の狭い形鋼の梁に親綱支柱を設置する場合は、上記のように行われていた。しかしながら、従来の方法では、挟締金具での厚板プレートの固定や、反対方向に引っ張る金具等の設置に手間がかかるという問題があった。
【０００７】
この発明は上記のような問題点に鑑みてなされたもので、フランジ幅の狭い形鋼の梁に親綱支柱を設置するのに手間がかからない、親綱支柱取付治具を提供することを目的とする。
【課題を解決するための手段】
【０００８】
この発明に係る、親綱支柱を固定するための治具は、親綱支柱を固定するための治具であって、第１の方向に伸びる矩形状の板と、矩形状の板の第１の方向の端部で上下方向に間隔を開けてＵ字状に折り曲げられた折り曲げ部と、を含む。
【０００９】
好ましくは、矩形状の板の第１の方向の逆方向の端部に設けられ、上方向に伸びる上突起部をさらに含む。
【００１０】
さらに好ましくは、矩形状の板の第１の方向とは逆方向の端部に設けられた下突起部を含む。
【００１１】
下突起部の高さは、治具が取り付けられる梁に使用するＨ形鋼材のフランジ厚より薄いのが好ましく、治具が取り付けられる梁に使用するＨ形鋼材のフランジ厚と等しいのが、さらに好ましい。
【００１２】
矩形状の板の第１の方向と直交する方向の両端部に設けられ、上方向に伸びる一対の横突起部を含んでもよい。
【発明の効果】
【００１３】
この発明に係る親綱支柱用治具は、矩形状の板の一方側の端部で上下方向に間隔を開けてＵ字状に逆方向に折り曲げられた折り曲げ部を有するため、Ｕ字状の折り曲げ部を幅の狭いフランジ部に係合した状態で、親綱支柱の取付具を位置決めして固定できる。
【００１４】
その結果、フランジ幅の狭い形鋼の梁に親綱支柱を設置するのに手間がかからない、親綱支柱取付治具を提供できる。
【図面の簡単な説明】
【００１５】
【図１】この発明の一実施の形態に係る親綱支柱用治具を示す図である。
【図２】この発明の一実施の形態に係る親綱支柱用治具の形鋼への取り付け状態を示す図である。
【図３】この発明の他の実施の形態に係る親綱支柱用治具の形鋼への取り付け状態を示す図である。
【図４】従来の、親綱支柱用治具を形鋼に取付ける取付方法を示す図である。
【図５】従来の、親綱支柱用治具を形鋼に取付ける他の取付方法を示す図である。
【発明を実施するための形態】
【００１６】
以下、この発明の一実施の形態を、図面を参照して説明する。図１はこの発明の一実施の形態に係る親綱支柱用治具１０を示す図であり、図１（Ａ）は平面図、図１（Ｂ）は図１（Ａ）において矢印ＩＢ−ＩＢで示す断面図、図１（Ｃ）は図１（Ｂ）において、矢印ＩＣ−ＩＣで示す側面図、図１（Ｄ）は図１（Ｂ）において、矢印ＩＤ−ＩＤで示す側面図、図１（Ｅ）は図１（Ｂ）において、矢印ＩＥ−ＩＥで示す底面図である。
【００１７】
図１（Ａ）〜（Ｅ）を参照して、親綱支柱用治具１０は、図１（Ａ）において、右方向（第１の方向）に伸びる矩形状の板１１と、矩形状の板１１の左方向の端部下方向に間隔を開けてＵ字状に折り曲げられた折り曲げ部１２と矩形状の板１１の右方向の端部に設けられ、上方向に伸びる上突起部１３とを含む。上突起部１３の裏面にも、逆方向に設けられた下突起部１５を設けてもよい。なお、下突起部の高さは、この親綱支柱用治具１０が適用される梁に使用するＨ形鋼材のフランジ厚より薄くするのが好ましく、梁に使用するＨ形鋼材のフランジ厚と同等が最適である。
【００１８】
この点については後述する。
【００１９】
また、矩形状の板１１の右方向の端部に設けられ、上方向に伸びる上突起部１３は、無くても親綱支柱の取付具を位置決めして固定できる。さらに、下突起部１５のみを設け、上突起部１３が無くてもよい。
【００２０】
また、矩形状の板１１の左右方向と直交する方向の両端部に上方向に伸びる一対の横突起部１４ａ，１４ｂを含んでもよい。
【００２１】
次に、この親綱支柱用治具１０の使用方法について説明する。図２は、この親綱支柱用治具１０の使用方法を示す図である。図２（Ａ）〜（Ｂ）は親綱支柱用治具１０を適用される梁に使用するＨ形鋼材のフランジに取付ける状態を示し、図２（Ｃ）は親綱支柱用治具１０をＨ形鋼材のフランジに取付けた後に、親綱支柱を取り付ける状態を示す図であり、図２（Ｄ）は図２（Ｃ）において、矢印ＩＩＤ−ＩＩＤで示す部分の矢視図（平面図）である。なお、図２（Ａ）〜（Ｃ）はＨ形鋼材の断面方向から見た図である。
【００２２】
図２（Ａ）〜（Ｄ）を参照して、親綱支柱用治具１０をＨ形鋼材３０のフランジ３１に取付けたとき、下突起部１５の折り曲げ部１２側の端部の位置がフランジ３１にほぼ当接し、折り曲げ部１２と下突起部１５とでＨ形鋼材のフランジ３１に親綱支柱用治具１０の位置決めができるように、折り曲げ部１２と下突起部１５との位置関係が定められているのが好ましい。
【００２３】
また、図２（Ｃ）および（Ｄ）を参照して、親綱支柱４０の端部に取付けた締め付けねじ部を有する取付具４１ａ，４１ｂによって、Ｈ形鋼材３０のフランジ３１を上下方向から挟むため、上記したように、下突起部１５の高さは、梁に使用するＨ形鋼材のフランジ３１の厚さより薄くするのが好ましく、フランジ厚と同等が最適である。なお、親綱支柱４０およびその端部に取付けた取付具４１ａ，４１ｂの詳細については、公知であるため、ここではその詳細な説明を省略する。
【００２４】
なお、ここで、下突起部１５の高さが梁に使用するＨ形鋼材３０のフランジ３１の厚さより薄い場合は、取付具４１ａ，４１ｂのねじの軸心４２ａ，４２ｂは、Ｈ形鋼材のフランジ３１の上にあるのが好ましい。これは、フランジ３１からその外部に外れた位置にあると、取付具４１ａ，４１ｂの締め付け力がかかる中心位置がフランジ３１の外部になり、親綱支柱用治具１０に曲げ力がかかるためである。
【００２５】
次に、この発明の他の実施の形態について説明する。図３は、この発明の他の実施の形態を示す図２（Ｃ）に対応する図である。図３を参照して、この実施の形態においては、親綱支柱用治具２０は、先の実施の形態における下突起部１５を有さない。それ以外の構成については、先の実施の形態と同様であるので、その説明は省略する。
【００２６】
この実施の形態においては、取付具４１ａ，４１ｂのねじの軸心４２ａ，４２ｂは、Ｈ形鋼材３０の親綱支柱４０が取り付けられる側のフランジ端部３１ａよりＨ形鋼材３０のウエブ側にあるのが好ましい。この理由は、上記した、下突起部１５の高さが梁に使用するＨ形鋼材３０のフランジ３１の厚さより薄い場合と同様である。
【００２７】
図面を参照してこの発明の実施形態を説明したが、本発明は、図示した実施形態に限定されるものではない。本発明と同一の範囲内において、または均等の範囲内において、図示した実施形態に対して種々の変更を加えることが可能である。
【産業上の利用可能性】
【００２８】
この発明によると、フランジ幅の狭い形鋼の梁に親綱支柱を設置するのに手間がかからないため、親綱支柱取付治具として有利に利用される。
【符号の説明】
【００２９】
１０，２０  親綱支柱用治具、１１  板、１２  折り曲げ部、１３  上突起部、１４ａ，１４ｂ  横突起部、１５  下突起部、３０  Ｈ形鋼材、３１  フランジ３１。
【図１】
2018139984.tif 000003
【図２】
2018139984.tif 000004
【図３】
2018139984.tif 000005
【図４】
2018139984.tif 000006
【図５】
2018139984.tif 000007